(57)【要約】【課題】  外部の景色が暗く見えることを避けながら、外部の景色の様子（外界）が変化しても、使用者の集中力が外界に向きにくいような表示装置を提供する。【解決手段】  表示装置の表示部中に収納されている映像表示装置である液晶ディスプレイ１の４隅の外側に、それぞれ発光ダイオード２を設ける。そして、所定のタイミング、ユーザからの入力に応じたタイミング、指定された時間間隔のいずれかで、これらの発光ダイオード２を一度に同期して点滅させたり、ランダムに点灯させたり、順次点滅させたりする。これにより、人間の意識が、表示部に対面している眼に集まり、表示されている映像から意識が離れるのを防止できる。【選択図】  図１
2007140104.tif 000002
【特許請求の範囲】
【請求項１】
片眼に映像を表示する表示装置であって、当該片目の視野内であって映像を表示しているエリア外に、当該映像とは異なる表示がなされることを特徴とする表示装置。
【請求項２】
請求項１の表示装置であって、表示素子の一部に映像を表示し、表示素子の映像が表示されていない部分に、表示している映像とは異なる映像を表示することを特徴とする表示装置。
【請求項３】
請求項１又は請求項２に記載の表示装置であって、所定のタイミング、ユーザからの入力に応じたタイミング、指定された時間間隔のいずれかで、前記映像とは異なる表示がなされることを特徴とする表示装置。
【発明の詳細な説明】
【技術分野】
【０００１】
本発明は表示装置に関するものである。
【背景技術】
【０００２】
近年、液晶パネル（ＬＣＤ）等の表示デバイス上に表示された映像を、接眼レンズやハーフミラー等を有する光学系を介して拡大した虚像として観察する眼鏡タイプ等、人体に装着して使用される表示装置が種々提案され、ウエアラブルディスプレイと呼ばれている。そのうち、頭部に装着して使用されるものは、特にヘッドマウントディスプレイと呼ばれている。
【０００３】
ヘッドマウントディスプレイは、多くの場合、頭に巻いた形で頭部に装着する構成とされ、両眼に対応する位置に映像表示系を形成した両眼タイプと左右眼の一方の眼に対応する位置に映像表示系を形成した片眼タイプとがある。このうち、両眼タイプのものは、主として映像を楽しむための目的に使用される。片眼タイプのものは、例えばウエアラブルパソコン等の表示装置等や、作業者に指示を表示する表示装置としての使用方法が期待されている。その例として、特開平８−３０５２９８号公報（特許文献１）、特開２００４−２０７８４７号公報（特許文献２）に記載されるような方式のものが公知となっている。
【０００４】
【特許文献１】特開平８−３０５２９８号公報
【特許文献２】特開２００４−２０７８４７号公報
【発明の開示】
【発明が解決しようとする課題】
【０００５】
このように片眼のみに映像を表示する表示装置における問題点の一つに、映像を表示していない眼で見えている外部の景色の様子（外界）が変化すると注意がそちらに向き、画面に集中できなくなるということがある。このような問題は、ヘッドマウントディスプレイを始め、片眼に映像や文字等を表示する表示装置に共通の問題である。このような問題点を解決する方法として、特開平１１−２８１９２２号公報には、映像を表示していない眼の前にフィルタをおいて減光する方法が開示されている。しかしながら、この方法では外部の景色が暗く見えることによる危険性の問題が別に発生する。
【０００６】
本発明はこのような事情に鑑みてなされたもので、外部の景色が暗く見えることを避けながら、外部の景色の様子（外界）が変化しても、使用者の集中力が外界に向きにくいような表示装置を提供することを課題とする。
【課題を解決するための手段】
【０００７】
前記課題を解決するための第１の手段は、片眼に映像を表示する表示装置であって、当該片眼の視野内であって映像を表示しているエリア外に、当該映像とは異なる表示がなされることを特徴とする表示装置である。
【０００８】
本手段においては、片眼の視野内であって映像を表示しているエリア外に、当該映像とは異なる表示がなされるので、たとえば、使用者の意識が他の片眼に集中しそうになったときに、この異なる表示をすることにより、使用者の意識を表示装置に引き戻すことが可能となる。又、異なる表示がなされるエリアが、映像を表示しているエリア外であるので、この異なる表示をすることにより、映像表示が妨げられることがない。
【０００９】
前記課題を解決するための第２の手段は、前記第１の手段であって、表示素子の一部に映像を表示し、表示素子の映像が表示されていない部分に、表示している映像とは異なる映像を表示することを特徴とするものである。
【００１０】
本手段においては、異なる表示として映像を表示するが、その表示される部分が表示素子の一部であるので、表示素子の他に特別な表示手段を設ける必用がない。
【００１１】
前記課題を解決するための第３の手段は、前記第１の手段又は第２の手段であって、所定のタイミング、ユーザからの入力に応じたタイミング、指定された時間間隔のいずれかで、前記映像とは異なる表示がなされることを特徴とするものである。
【００１２】
本手段においては、いろいろなタイミングで、異なる表示を行うことにより、使用者の意識を表示装置に引き戻すことができる。なお、所定のタイミングとは、たとえば、外界の状況を観測する手段を設け、その手段が、人間の意識が外界に行くような外界の変化を検出したとき等、適当な条件が成立したタイミングをいう。
【発明の効果】
【００１３】
本発明によれば、外部の景色が暗く見えることを避けながら、外部の景色の様子（外界）が変化しても、使用者の集中力が外界に向きにくいような表示装置を提供することができる。
【発明を実施するための最良の形態】
【００１４】
以下、本発明の実施の形態の例を、図を用いて説明する。図１は、本発明の第１の実施の形態を説明するための図である。表示装置の表示部中に収納されている映像表示装置である液晶ディスプレイ１の４隅の外側に、それぞれ発光ダイオード２を設ける。そして、所定のタイミング、ユーザからの入力に応じたタイミング、指定された時間間隔のいずれかで、これらの発光ダイオード２を一度に同期して点滅させたり、ランダムに点灯させたり、順次点滅させたりする。これにより、人間の意識が、表示部に向き、表示されている映像から意識が離れるのを防止できる。
【００１５】
図２は、本発明の第２の実施の形態を説明するための図である。以下の図においては、前出の図に示された構成要素と同じ構成要素には、同じ符号を付してその説明を省略することがある。この実施の形態は、表示装置の表示部の筐体３に発光ダイオード２を設けたものであり、この場合も、発光ダイオード２は、液晶ディスプレイ１の４隅の外側に設けられている。これらの発光ダイオード２の点滅のさせ方、及びその効果は、第１の実施の形態と同じである。
【００１６】
図３は、本発明の第３の実施の形態を説明するための図である。この例においては、液晶ディスプレイ中１中に表示される映像を縮小表示し、映像が表示されない部分を周縁部に設けている。そして、所定のタイミング、ユーザからの入力に応じたタイミング、指定された時間間隔のいずれかで、この周縁部には別の映像４を表示するようにしている。この別の映像を点滅させたり、周縁部を周回運動させるようにしてもよい。これにより、人間の意識が、表示部に向き、表示されている映像から意識が離れるのを防止できる。この実施の形態においては、映像を縮小表示させているので、映像の解像度が落ちるという問題があるが、発光ダイオードのような特別のものを必要とせず、単に画像処理だけで目的を達成できるという利点がある。又、表示される映像を自由に選べるので、表示のバリエーションが増やせるというメリットがある。又、映像に動きを与えることができるので、それだけ注意を引きやすいものとすることができる。
【図面の簡単な説明】
【００１７】
【図１】本発明の第１の実施の形態を説明するための図である。
【図２】本発明の第２の実施の形態を説明するための図である。
【図３】本発明の第３の実施の形態を説明するための図である。
【符号の説明】
【００１８】
１…液晶ディスプレイ、２…発光ダイオード、３…表示部の筐体、４…別の映像
【図１】
2007140104.tif 000003
【図２】
2007140104.tif 000004
【図３】
2007140104.tif 000005